(57)【要約】【課題】床化粧板の床面への敷設と固定を簡単な作業で行え、固定位置が制限されず、強風を受けても床面に確実に固定しておけるようにする。【解決手段】複数のユニット基板（２１）を並設一体化し、周辺に他の床化粧板との継手部（２５ａ、２５ｂ）が形成されてなる合成樹脂製の床化粧板（１）において、ユニット基板（２１）の目地部（２２）に、床面（６）に固定された支持板（４）の係止突部（４２）の上端を差し入れ、目地部（２２）両側のユニット基板（２１）間に架設された連結片（２４）に、係止突部（４２）の上端をスナップピンからなる留め具（５）で接続することにより、床化粧板（１）を床面（６）に固定する。【選択図】図７
2009084778.tif 000002
【特許請求の範囲】
【請求項１】
複数のユニット基板を並設一体化し、周辺に他の床化粧板との継手部が形成されてなる合成樹脂製の床化粧板において、
前記ユニット基板の目地部に、床面に固定された支持板の上端を差し入れるとともに、当該目地部の両側のユニット基板間に架設された連結片に、前記支持板の上端を留め具で接続することにより床面に固定されるように構成したことを特徴とする床化粧板。
【請求項２】
支持板の二股に分岐した上端をユニット基板の目地部に差し入れて連結片の両側に配し、連結片の上方で、前記支持板の上端にスナップピンを嵌着して、連結片と支持板の上端とを接続した請求項１に記載の床化粧板。
【請求項３】
各ユニット基板の上面にタイルが固着されてなる請求項１又は２に記載の床化粧板。
【発明の詳細な説明】
【技術分野】
【０００１】
本発明は、バルコニーやベランダなどの床面上に敷設して化粧床面を形成する床化粧板に関し、強風を受けても捲れ上がったり分離飛散したりせずに、床面上に確実に固定しておけるようにした構成のものに関する。
【背景技術】
【０００２】
ベランダなどの建物から張り出した縁の上面は、水捌けを良くするためコンクリートを剥き出しにしているところが多く、見栄えが悪いものであった。そのため、剥き出しのコンクリートに複数の床化粧板を敷き詰め、ベランダの床面を建物の外壁と調和のとれた外観のものに装飾することが行われている。
かかる床化粧板は、合成樹脂材料を用い、上面にタイルが接着固定される複数のベース板を方形状に並設一体化して比較的軽量に成形されており、マンションの高層階のベランダに敷設した場合などに強風を受けて床化粧板が煽られて捲れあがったり分離飛散したりする虞れがあることから、敷設した床化粧板を床面に固定する手段を施す必要があった。
【０００３】
従来、床化粧板を床面に固定する手段としては、例えば図８に示されるように、断面Ｌ字形に屈曲した板材の一側１０２ａに針状突起１０２ｂを一体に列設させてなる固定具１０２を用い、固定具１０２の他側１０２ｃを床面１００にボルト留めした状態で、床化粧板１０１をその側端部に固定具１０２の針状突起１０２ｂを突き刺して敷設することにより、床面１００に固定するものが知られている（例えば特許文献１参照）。
また、図９に示されるように、床化粧板１０１の凹状の継手部１０１ａに連結する補助連結片１０３を用い、補助連結具１０３が接着固定された床面１００に複数枚の床化粧板１０１を敷き詰め、隣接する床化粧板１０１同士で凹状の継手部１０１ａと凸状の継手部（図示せず）を接続して連結一体化するとともに、前記凹状の継手部１０１ａと補助連結具１０３とを連結して、床化粧板１０１を床面１００に固定するものが知られている（例えば特許文献２参照）。
【０００４】
【特許文献１】特開平１１−１８２０００号公報
【特許文献２】特開２００４−２１１５４０号公報
【発明の開示】
【発明が解決しようとする課題】
【０００５】
床化粧板１０１を床面１００に固定する前者の手段は、針状突起１０２ｂを床化粧板１０１の側端部に突き刺して固定具１０２と床化粧板１０１を接続する作業に手間を要し、また、針状突起１０２ｂを突き刺しただけでは床化粧板１０１を確実に固定しておくことができず、強風を受けたときに針状突起１０２ａが外れて床化粧板１０１が捲れ上がることがあった。
後者の手段は、補助連結具１０３と凹状の継手部１０１ａとを接続して固定するものであるため、床化粧板１０１の固定位置が制限され、敷き詰められた床化粧板１０１の端の辺に凸状の継手部が位置する場合に、当該端辺を補助連結具１０３を用いて固定することができず、他の固定手段を用いなければならないという問題があった。
【０００６】
本発明は従来技術の有するこのような問題点に鑑み、床面への床化粧板の敷設と固定を簡単な作業で行え、固定位置が制限されず、強風を受けても床面に確実に固定しておけるようにすることを課題とする。
【課題を解決するための手段】
【０００７】
前記課題を解決するための本発明は、複数のユニット基板を並設一体化し、周辺に他の床化粧板との継手部が形成されてなる合成樹脂製の床化粧板において、前記ユニット基板の目地部に、床面に固定された支持板の上端を差し入れるとともに、当該目地部の両側のユニット基板間に架設された連結片に、前記支持板の上端を留め具で接続することにより床面に固定されるように構成したことを特徴とする。
前記構成において、支持板の二股に分岐した上端をユニット基板の目地部に差し入れて連結片の両側に配し、連結片の上方で、前記支持板の上端にスナップピンを嵌着して、連結片と支持板の上端とを接続するようにしてもよく、また、各ユニット基板の上面にタイルを固着して構成してもよい。
【０００８】
本発明の床化粧板によれば、床化粧板を敷設する床面の所定位置に支持板を接着剤で固定し、この支持板の上端が、床化粧板のユニット基板の目地部に差し入れられるようにして床化粧板を床面に設置し、目地部に設けられた連結片と支持板の上端とを留め具で接続して支持板と床化粧板とを連結することにより、床化粧板を床面に固定することができる。
ユニット基板の目地部に留め具を装着して接続しているので、目地部の中に留め具が収まってユニット基板間又はユニット基板上面に固着したタイル間に潜り込み、留め具が床化粧板の上方から目に付くようなことはなく、床化粧板を見栄え良く敷設することができ、また、留め具が歩行の邪魔となるようなこともない。
また、連結片と支持板の上端を接続する作業は、床面に設置した床化粧板の上方で留め具を操作して行うことができるので、作業がし易く手間をかけずに両部材を確実に接続可能であり、また、床化粧板内で縦横に配されたどの位置の目地部であっても、差し入れた支持板の上端と連結片との接続を行えるので固定位置が制限されず、床化粧板の設置条件などに応じて板内の適宜な位置の目地部において支持板と連結片とを接続し、床化粧板を固定することが可能である。
【発明を実施するための最良の形態】
【０００９】
本発明の好適な一実施形態を図面を参照して説明する。
図１は本発明の一実施形態の床化粧板の構成を上下両面を半面づつ示した図、図２は同じく床化粧板のベースパネルの目地部の拡大断面図、図３は同じく床化粧板の継手部である水平突起と垂直突起の拡大図、図４は同じく床化粧板同士を連結した状態の継手部分の拡大断面図、図５は床化粧板を床面に固定するための支持板と留め具の斜視図、図６は同じく支持板と留め具の側面図、図７は床化粧板を床面に固定する工程を説明するための図である。各図において、符番１は床化粧板、２はベース板、２１はユニット基板、２３は目地部、３はタイル、４は支持板、５は留め具、６はバルコニーなどの床面をそれぞれ示している。
【００１０】
図示した形態の床化粧板１は、その上面に複数枚のタイル３が接着固定されてなり、後述する支持板４に留め具５で一体に連結されて床面６上に固定されるように設けてある。
【００１１】
より詳しくは、床化粧板１は、塩化ビニル樹脂やポリエチレン、ポリプロピレンなどの合成樹脂材料を用いて平面視正方形に形成されたベース板２の上面に、縦横３列に並べた９枚のタイル３をエポキシ樹脂などの接着剤で接着固定して形成してある。
ベース板２は、下面に複数の脚部２３を突設させた平面視正方形状の小型のユニット基板２１を目地部２２を挟んで縦横３列に並べるとともに、図２に示されるように、目地部２２を横切ってユニット基板２１の側端部間に架け渡された連結片２４で、隣接ユニット基板２１同士を一体に連結して形成されており、各ユニット基板２１の上面にタイル３が接着固定してある。また、ベース板２の周側面には、対角コーナー部を挟む隣接二辺に、図３に示されるような、継手部２５としての水平突起２５ａと水平突起２５ｂをそれぞれ複数設けてある。
そして、床化粧板１は、床面６上に複数枚を敷き詰め、図４に示されるように、隣り合う一方の床化粧板１の側面の垂直突起２５ｂを他方の床化粧板１の側面の水平突起２５ａの溝孔に上方から凹凸嵌合させ、両床化粧板１の周辺部同士を互いに接続することで一体の化粧床面を構成するようになっている。
【００１２】
支持板４は、ステンレスなどの耐蝕性を有する薄い鋼板を折曲加工してなり、図５及び図６に示されるように、平面視線矩形の基板４１の対向長手辺の中央部に上方へ適宜な高さ突出していて先端を逆Ｕ字形に折り返した係止突部４２を設けるとともに、当該係止突部４２の中央部に適宜な幅だけ切除した切欠き部４３を配して係止突部４２を二股に分岐させた形状に設けてある。
前記係止突部４２の幅は、その内側面間に後述する留め具５が圧入可能な幅に設定してあり、また、その高さ（図５中の符番Ｈ）は、前記ユニット基板２１間の連片２４の高さ（図２中の符番ｈ）よりも若干高くなるように設定してある。
また、基板４１の面内には複数の通孔４４が形成してあり、支持板４を床面６に接着固定する際に、基板４１の下面と床面６の上面間に充填された接着剤が各通孔４４から基板４１の上面に溢れ出て盛り上がることにより、支持板４が床面６上に強固に固着できるようになっている。
【００１３】
留め具５は、耐蝕鋼材からなる針金を屈曲形成したスナップピンであり、図５及び図６に示されるように、その中央に半円状に湾曲したストッパー５１、一端に湾曲しつつ折り返された係止部５２をそれぞれ設け、係止部５２から先端５３までの全長を前記支持板４の短手辺よりも若干長くなるように設けて形成してある。
【００１４】
これらの部材を用いて床化粧板１を床面６に敷設し固定する作業は以下の手順により行われる。
先ず、床面６上に複数枚の床化粧板１を敷き並べ、各床化粧板１で各々隣接する床化粧板１の側面に設けられた水平突起２５ａと垂直突起２５ｂを凹凸嵌合させて連結し、一体の化粧床面を形成する。全ての床化粧板１を一体に連結したならば、その状態で床化粧板１を床面６に固定するための支持板４の接続位置を位置決めしておく。なお、支持板４は、一体の化粧床面に複数個が接続される。
次に、連結した一体の化粧床面を床面６の隅に立て掛けておいたり、床面６から移動させたりするなどして、床面６を一旦露出させ、図７（Ａ）に示されるように、前記位置決めされた床面６上の各位置に支持板４を各々接着剤で固定する。
各支持板４を床面６に固定したならば、その上に前記一体の化粧床面を被せて床面６上に再び敷き並べる。その際、支持板４の上端である係止突部４２をユニット基板２１の目地部２２に下側から差し入れるとともに、二股の係止突部４２の間の切欠け部４３内に、ユニット基板２１間に架設された連結片２４が位置するように床化粧板１の敷設位置を調整する。目地部２２内に差し入れられた二股の係止突部４２は、図７（Ｂ）に示されるように、その上端を連結片２４よりも若干上方に突出させて、連結片２４の両側に配置される。
そして、図７（Ｃ）に示されるように、連結片２４の上方に突出した二股の係止突部４２を貫くようにして、留め具５を係止突部４２に挿入するとともに、留め具５が抜け出ないようにそのストッパー５１を連結片２４に嵌着させる。
なお、床面６上に床化粧板１を敷き並べる前に、予め床面６上の所定位置に複数の支持板５を接着固定しておき、その後、床面６上に床化粧板１を順次設置してゆき、互いに連結しつつ固定して敷き並べるようにしてもよい。
【００１５】
このような作業手順で床面６に敷設された床化粧板１は、そのユニット基板２１の連結片２４に、床面６に固定された支持板４の係止突部４２が留め具５を介して一体に接続しているので、強風を受けても捲れ上がるようなことはなく、床面６上に確実に固定して安定的に敷き並べておくことができる。
また、ユニット基板２１の目地部２２内に係止突部４２を挿入させて留め具５を連結してあるので、留め具５が目地部２２内に収まってタイル３よりも下方に潜り込み、床化粧板１の上方から留め具５が目に付くようなことはなく、また、留め具５が歩行の邪魔となるようなこともない。
【００１６】
なお、図示した床化粧板１やベース板２、支持板４、留め具５の各部材の形態は一例であり、本発明は床化粧板１の敷設位置や広さなど、設置条件に応じて適宜な形態に設けることが可能である。ベース板２内で支持板４を接続する位置や支持板４の接続数なども設置条件に応じて適宜に選定される。床化粧板１の周側辺に設けられる継手部２５の形状も、図示した水平突起２５ａや垂直突起２５ｂの他に、互いに凹凸嵌合する他の適宜な形状のものとしてもよい。各ユニット基板２１の上面に装飾模様を施してベース板２を形成し、タイル３を固着せずに、ベース板２の上面が露出するようにしてもよい。
【図面の簡単な説明】
【００１７】
【図１】本発明の一実施形態の床化粧板の構成を上下両面を半面づつ示した図である。
【図２】同じく床化粧板のユニット基板の目地部の拡大断面図である。
【図３】同じく床化粧板の継手部である水平突起（Ａ）と垂直突起（Ｂ）の拡大図である。
【図４】同じく床化粧板同士を連結した状態の継手部分の拡大断面図である。
【図５】床化粧板を床面に固定するための支持板と留め具の一例の斜視図である。
【図６】同じく支持板と留め具の側面図である。
【図７】（Ａ）〜（Ｃ）は床化粧板を床面に固定する工程を説明するための図である。
【図８】従来の一例の床化粧板における固定具の外観図（Ａ）と床面に固定された状態の床化粧板の端部断面図（Ｂ）である。
【図９】従来の他の例の床化粧板に補助連結具を接続した状態の外観図（Ａ）と床面に固定された状態の床化粧板の概略側面図（Ｂ）である。
【符号の説明】
【００１８】
１  床化粧板、２  ベース板、２１  ユニット基板、２２  目地部、２３  脚部、２４  連結片、２５  継手部、２５ａ  水平突起、２５ｂ  垂直突起、３  タイル、４  支持板、４１  基板、４２  係止突部、４３  切欠き部、５留め具、６  床面
【図１】
2009084778.tif 000003
【図２】
2009084778.tif 000004
【図３】
2009084778.tif 000005
【図４】
2009084778.tif 000006
【図５】
2009084778.tif 000007
【図６】
2009084778.tif 000008
【図７】
2009084778.tif 000009
【図８】
2009084778.tif 000010
【図９】
2009084778.tif 000011